【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
ハウジングと、
光軸方向において移動可能となるように前記ハウジングに保持され、光ファイバの先端部を収容するフェルールと、
前記光軸方向において移動可能となるように前記ハウジングに収容され、前記光ファイバを解放可能に保持する保持部材と、
前記光軸方向において移動可能となるように前記ハウジングに収容され、前記保持部材に対する相対的な位置として、前記保持部材による保持を維持する維持位置と前記保持を解除可能とする解除位置とをとり得るように設けられた維持部材と、
前記維持部材を前記維持位置に向けて押圧する押圧部材と
を備える光ファイバコネクタであって、
前記ハウジングの側面には、前記光軸方向と交差する方向からストッパを前記ハウジングの内部に差し込み可能とするストッパ差し込み孔が形成されており、
前記維持部材は、当接部を備えており、
前記フェルールは、前記光軸方向において前記当接部と対向する対向部を備えており、
前記ストッパ差し込み孔を通じて前記ストッパが前記当接部と前記対向部との間に差し込まれると、前記押圧部材による押圧に抗って、前記維持部材と前記フェルールとが前記光軸方向において前記ストッパのサイズにより定まる所定距離だけ離間した状態が維持されるように構成されている
光ファイバコネクタ。
【請求項２】
請求項１記載の光ファイバコネクタであって、
操作可能となるように前記ハウジングから部分的に突出した状態で前記ハウジングに収容され且つ前記保持部材に接続された解除操作部材を更に備えており、
前記ストッパを前記当接部と前記対向部との間に介在させた状態で前記解除操作部材を操作して前記保持部材を前記光軸方向に移動させることにより相対的に前記維持部材を前記解除位置に移動させ、それにより前記保持部材が前記光ファイバを解放するように構成されている
光ファイバコネクタ。
【請求項３】
請求項２記載の光ファイバコネクタであって、
前記解除操作部材は、前記保持部材に取り付けられたチューブであり、
前記光ファイバは、前記チューブ内を通り前記保持部材に保持される
光ファイバコネクタ。
【請求項４】
請求項２又は請求項３記載の光ファイバコネクタであって、
前記ハウジングは、収容スペースを内部に有するフロントハウジングと、筒状のバックポストとを備えており、
前記フェルール、前記解除操作部材を接続された前記保持部材、前記維持部材及び前記押圧部材を前記フロントハウジングの後端から前記フロントハウジングの前記収容スペース内に挿入し、更に、前記解除操作部材を前記バックポストに通しつつ前記バックポストを前記フロントハウジングの前記後端に組み込むことにより、前記フェルール、前記保持部材、前記維持部材及び前記押圧部材を前記ハウジング内に収容してなる
光ファイバコネクタ。
【請求項５】
請求項１乃至請求項４のいずれかに記載の光ファイバコネクタであって、
前記保持部材は、基部と、前記基部から延びる弾性部と、前記弾性部に弾性支持された保持部とを有しており、
前記弾性部は、初期状態において、前記保持部が前記光ファイバを解放する解放位置に位置するように前記保持部を支持しており、
前記弾性部を弾性変形させると、前記光ファイバを保持する保持位置に前記保持部を移動させることが可能であり、
前記解放位置は、前記保持位置から見て、前記光ファイバの径方向の外側に位置しており、
前記維持部材が前記解除位置にあるとき、前記保持部は前記解放位置に位置しており、
前記維持部材が前記維持位置にあるとき、前記径方向の外側から前記保持部又は前記弾性部の少なくとも一方を前記維持部材が抑え込み、それによって、前記弾性部を弾性変形させて、前記保持部を前記保持位置に位置させる
光ファイバコネクタ。
【請求項６】
請求項５記載の光ファイバコネクタであって、
前記保持部及び前記弾性部からなる組は前記光ファイバに対し複数組あり、
前記維持部材は、前記複数の弾性部又は前記複数の保持部の少なくともいずれか一方を前記径方向外側から囲っている
光ファイバコネクタ。
【請求項７】
請求項５又は請求項６記載の光ファイバコネクタであって、
前記押圧部材は、前記維持部材を前方に押圧するものであり、
前記維持部材は、前記弾性部又は前記保持部の少なくとも一方を前記径方向外側から囲う円筒形状の主部と、前記主部の後側に設けられたフランジとを有しており、
前記フランジの前端は前記当接部として機能する
光ファイバコネクタ。
【請求項８】
請求項１乃至請求項７のいずれかに記載の光ファイバコネクタであって、
前記維持部材が前記押圧部材に押圧されて前記維持位置にあり且つ前記保持部材が前記光ファイバを保持している状態において、前記保持部材は前記フェルールと当接する一方、前記当接部と前記対向部とは間に隙間が設けられており、
前記ストッパは、前記所定距離に相当する幅を有する幅広部と、前記幅広部よりも幅の狭い幅狭部とを有しており、
前記ストッパ差し込み孔は、前記フェルールを前記ハウジング内に向けて押した状態において前記幅狭部を前記隙間に差し込み可能となるように、前記ハウジングに設けられている
光ファイバコネクタ。
【手続補正２】
【補正対象書類名】明細書
【補正対象項目名】０００９
【補正方法】変更
【補正の内容】
【０００９】
また、本発明は、第４の光ファイバコネクタとして、第２又は第３の光ファイバコネクタであって、
前記ハウジングは、収容スペースを内部に有するフロントハウジングと、筒状のバックポストとを備えており、
前記フェルール、前記解除操作部材を接続された前記保持部材、前記維持部材及び前記押圧部材を前記フロントハウジングの後端から前記フロントハウジングの前記収容スペース内に挿入し、更に、前記解除操作部材を前記バックポストに通しつつ前記バックポストを前記フロントハウジングの前記後端に組み込むことにより、前記フェルール、前記保持部材、前記維持部材及び前記押圧部材を前記ハウジング内に収容してなる
光ファイバコネクタを提供する。
【手続補正３】
【補正対象書類名】明細書
【補正対象項目名】００１０
【補正方法】変更
【補正の内容】
【００１０】
また、本発明は、第５の光ファイバコネクタとして、第１乃至第４のいずれかの光ファイバコネクタであって、
前記保持部材は、基部と、前記基部から延びる弾性部と、前記弾性部に弾性支持された保持部とを有しており、
前記弾性部は、初期状態において、前記保持部が前記光ファイバを解放する解放位置に位置するように前記保持部を支持しており、
前記弾性部を弾性変形させると、前記光ファイバを保持する保持位置に前記保持部を移動させることが可能であり、
前記解放位置は、前記保持位置から見て、前記光ファイバの径方向の外側に位置しており、
前記維持部材が前記解除位置にあるとき、前記保持部は前記解放位置に位置しており、
前記維持部材が前記維持位置にあるとき、前記径方向の外側から前記保持部又は前記弾性部の少なくとも一方を前記維持部材が抑え込み、それによって、前記弾性部を弾性変形させて、前記保持部を前記保持位置に位置させる
光ファイバコネクタを提供する。
【手続補正４】
【補正対象書類名】明細書
【補正対象項目名】００１１
【補正方法】変更
【補正の内容】
【００１１】
また、本発明は、第６の光ファイバコネクタとして、第５の光ファイバコネクタであって、
前記保持部及び前記弾性部からなる組は前記光ファイバに対し複数組あり、
前記維持部材は、前記複数の弾性部又は前記複数の保持部の少なくともいずれか一方を前記径方向外側から囲っている
光ファイバコネクタを提供する。
【手続補正５】
【補正対象書類名】明細書
【補正対象項目名】００１２
【補正方法】変更
【補正の内容】
【００１２】
また、本発明は、第７の光ファイバコネクタとして、第５又は第６の光ファイバコネクタであって、
前記押圧部材は、前記維持部材を前方に押圧するものであり、
前記維持部材は、前記弾性部又は前記保持部の少なくとも一方を前記径方向外側から囲う円筒形状の主部と、前記主部の後側に設けられたフランジとを有しており、
前記フランジの前端は前記当接部として機能する
光ファイバコネクタを提供する。
【手続補正６】
【補正対象書類名】明細書
【補正対象項目名】００１３
【補正方法】変更
【補正の内容】
【００１３】
また、本発明は、第８の光ファイバコネクタとして、第１乃至第７のいずれかの光ファイバコネクタであって、
前記維持部材が前記押圧部材に押圧されて前記維持位置にあり且つ前記保持部材が前記光ファイバを保持している状態において、前記保持部材は前記フェルールと当接する一方、前記当接部と前記対向部とは間に隙間が設けられており、
前記ストッパは、前記所定距離に相当する幅を有する幅広部と、前記幅広部よりも幅の狭い幅狭部とを有しており、
前記ストッパ差し込み孔は、前記フェルールを前記ハウジング内に向けて押した状態において前記幅狭部を前記隙間に差し込み可能となるように、前記ハウジングに設けられている
光ファイバコネクタを提供する。
【手続補正７】
【補正対象書類名】明細書
【補正対象項目名】００１８
【補正方法】変更
【補正の内容】
【００１８】
図１乃至図４を参照すると、本発明の実施の形態による光ファイバコネクタ１０は、フロントハウジング１１０及びバックポスト１３０からなるハウジング１００と、フェルール２００と、チャック（保持部材）３００と、リング（維持部材）４００と、コイルばね（押圧部材）５００と、弾性体からなるチューブ（解除操作部材）６００とからなるものであり、光ファイバ（図示せず）の交換時に治具として光ファイバコネクタ１０とは別体のストッパ７００を用いるものである。ここで、図４、図１３及び図１４に示されるように、ストッパ７００は、略Ｕ字状形状を有しており、先端に細い（幅の狭い）幅狭部７０２を有すると共に幅狭部７０２と連続し且つ幅狭部７０２によりも幅の広い幅広部７０４を有している。